(57)【要約】【課題】  一般家庭から全産業分野に至る迄、無意識に使っている既存設備或は新規設備機器の全てがエネルギー消費で終わっており、自然エネルギー発電も必要消費電力の全てをまかなう為には広大な設置面積や設置環境と莫大な費用を要し、高価で危険性をも持っている水素燃料発電等も現状では実用性が低く、絶対的安全でシンプルなエネルギーを利用して発電する装備機器は全くない。【解決手段】  全ての人間生活空間環境には、使用目的は違っても、水道水、海水、圧縮空気、加圧ガス、油圧機器等の既存設備機器類のエネルギーが氾濫しており、この潜在エネルギーは発電エネルギーで、数段の電力増強発電で、僅かな限られたエネルギーで必要電力の全てを発電供給も可能な、グローバル的人類生存環境での地球環境保全、クリーンで、ノーエネルギーと同様価値の増大発電システムである。【選択図】図１
2010053849.tif 000002
【特許請求の範囲】
【請求項１】
電力会社からの供給電力、又は他の発電機等からの電力供給、或は装備機器等の既存動力で、直接又は間接で、単数又は複数の初段発電駆動機（１）を稼動して、単数又は複数の初段発電機（２）稼動で、初段発電駆動機（１）の消費電力以上の初段発電電力（３）の発生を行い、初段発電電力（３）容量を必要電力機器に直接供給する。
初段発電電力（３）で必要電力供給が不足する場合は、初段発電電力（３）の電力利用で、単数又は複数の第二段発電駆動機（４）に電気印加して第二段発電機（５）を稼動して、第二段発電駆動機（４）の消費電力以上の第二段発電電力（６）の発生を行い、第二発段電電力（６）を必要電力機器に供給する。
第二段発電電力（７）で必要電力不足の場合は、同様の増段発電を行い、順次、増大発電を行って、最後は、最終段発電駆動機（７）、最終段発電機（８）、最終段発電電力（９）によって必要電力機器に供給する。
又、発電目的である、必要電力の一部又は全容量に見合った発電段数を最終発電とし、最終段発電電力（９）の必要電力供給方法は、電力整合制御盤（１０）経由で交流或は直流等の電気種、電圧、電流、周波数、等々の電力整合の上、必要電力機器に供給する。
同時に最終段発電電力（９）を、一端、最終段発電蓄電池（１１）を設置して蓄電し、電力整合制御盤（１０）経由で、必要電力機器に供給する事もある。
必要電力供給とは、発電電力目的の機器供給は当然の事、発電システムの、初段発電駆動機（１）乃至、最終段発電駆動機（７）の一部又は全部に電気印加が必要な時も含まれる。
本発明の用途は限定されず、地球上の生活環境を含む産業界、軍事関連の遠隔孤立地域、一輪乃至多輪の陸上走行装置、湖沼を含む海上及び海中航行船舶、宇宙を含む航空機等々で、自然界エネルギー皆無地域、或は電力を含む設備機器皆無地域、内燃機器燃料等の皆無地域、等々でも、種々の人的増速回転機器で初期の初段発電駆動機（１）の稼動さえ出来れば、事後は半永久回転持続、又は最終段発電蓄電池（１１）を経由して、必要時点での自動稼動発電も可能な、増大発電システム。
【請求項２】
風力、潮流、河川水流、等々で周知の自然エネルギー利用発電をも利用した、請求項１記載の、増大発電システム。
【発明の詳細な説明】
【技術分野】
【０００１】  一般家庭から大規模発電迄、全ての分野での実用性ある発電技術分野である。
【背景技術】
【０００２】  近年、省エネルギー、クリーンエネルギーの問題が、環境保全機運と共に大きくクローズアップされる中での発電装置は、自然エネルギー発電、或は種々の燃料電池等、未だに経済的実用には相当な年月を要する発電装置しかない。【０００３】  上水道、或は工業用水、油圧系統、動力圧縮空気等々、一般家庭はもとより、全産業設備及び製品で、回転駆動動力、或は種々の用途での管内加圧流動の液体及び気体の加圧流動エネルギー使用後はそのまま廃棄、ロスをロスと感じずに、これが当然の方策と思考している嫌いがある。【０００４】  太陽光発電に至っては、晴雨によって大きく発電量が変わるが、太陽光発電単独での発電効率は非常に微細で、必要電力の発電には太陽光発電モジュールの広大な面積を要し、又太陽光発電モジュウル板の装着不能な環境では意味が無く、設備投資も増大する。【０００５】  風力発電は、風車の風圧効率と地域差による春夏秋冬の風力格差の効率もさる事ながら暴風時期の機器保存の為の稼働停止や強風による風車破損事故も後を立たず、風切り振動低周波数によっては設置不能もあるのが現状である。【０００６】  発電とは、発電機を駆動して発電、その電力を使用すると言う周知の事実の先入観が災いし、その発電電力を利用してそれ以上の発電をする二次発電、三次発電と言う電力増大意識が無い。【０００７】
【特許文献１】  特開２００３−０５６４４５（特願２００１−２８７８６８
【特許文献２】  特開２００３−０６１３９７（特願２００１−２８７８４０
【特許文献３】  特願２００７−０２８５６７
【特許文献４】  特願２００７−００９４４４
【特許文献５】  特願２００７−３４２０１９
【特許文献４】  特願２００８−２０９３３５
【特許文献５】  特願２００８−２０９３３６
【発明の開示】
【発明が解決しようとする課題】
【０００８】  自然エネルギー利用発電は天候気候に左右され、地域的な問題点を有し、クリーンであるが、変換効率が低く、発電コストの必要設置設備が高価につき、場合に依っては設備償却に永い年数が掛かるように、夫々非常に有効であるが同時に大きな欠点をもっている為に太陽光発電と風力発電を併合して設置しても欠点は解消されないことは言う迄もない。【０００９】  しかし、自然界の影響が無い従来の人工的発電の全ては、火力蒸気圧タービン発電、内燃機動力発電、近年では廃棄物固形化燃料焼却蒸気圧タービン発電等々を含め、将来的にはバイオエネルギー発電もあるが、いずれも周辺設備からみれば膨大な設備投資が必要であり、表に出ない残渣処理費用等の問題も有り、周囲環境を含め、発電コスト的に個人家屋や企業では設備投資回収には長年を要する事は周知の事実で有る。【００１０】  これらの自然エネルギー利用発電の欠点を補う人工的エネルギー利用の発電方法は、既存設備或は新規設備のなかで、液体、気体、各種駆動回転機器等々のエネルギー浪費が山ほど有り、それらのエネルギーを利用した発電、その発電電力利用の発電等は全くない。【００１１】  同時に、最も有効な潜在エネルギーは、生活空間、産業設備、各種製品、其の他あらゆる分野における種々稼動目的で設置の回転機器で、目的達成と共にそのエネルギーは当然の様に廃棄しているが、この既存エネルギーの同時利用は、弊社の過去特許申請以外に無い。【００１２】  又、電力会社供給電力は設備機器稼動に消費するものと言う先入観は当然ですが、その電力を利用して同時に発電をする感覚は、電力の無駄、と言う先入観を破棄する必要がある。【００１３】  例えば、電力利用発電の場合、設備機器稼動に５の電力が必要な場合に、６の電力を供給して５の電力消費で設備機器稼動し、同時に１の電力消費で６の電力発電をすれば、５の設備機器稼動電力が賄える事になるような、発想の転換が不可欠な時代となった。
【課題を解決する手段】
【００１４】  発電潜在エネルギーは、生活空間及び企業生産工程、種々施設、或は必要最小限の発電装置しか装備されていない地球上の移動媒体迄、地球上に無限に氾濫している。
【００１５】  一般家庭では、常識的な太陽光発電装置を装備しても、残念ながら太陽光の恩恵を受ける年間効果日数は地球上で地域的に大きな格差が有り、一般的家庭生活必需設備電力の全てをまかなうには、太陽光電機変換効率を、現在以上の大幅上昇５０（％）以上の必要があり到底現状では不可能で、これをカバーするには、先ず、朝夕の洗面、朝食、昼食、そして夕食の調理水道使用、一日の水洗トイレ使用回数、洗濯、風呂沸かし、これらは天候に関係なく日常的行為として全世界同様に消費廃棄され、真夏の日照り続きにはガーデニング放水、等々で、水道水配管元では頻繁に水道メーターは回転しており、家庭内ですら、この管内流体エネルギーの使い捨て廃棄を放置する手はない。
【００１６】  同時に、一般家庭で、掃除機、洗濯機、冷蔵庫、時には独立乾燥機、電子レンジ、食器洗浄器、等々、これらには全てが回転電動機器を装着しており、装着の回転電動機器に対応した発電機を装填又は回転動力利用で結続すれば、トータル的に大きな省エネルギーともなる。
【００１７】  これが産業界の企業設備になれば、全産業で上水道、及び工業用水は絶対的必要物で、その消費水量は膨大な量で大きく、動力の電動ポンプモーターに至っては膨大な動力電動機設備も有り、単に既存設備稼動目的の動力源のみに使用する時代ではない。
【００１８】  そこで、現状の異常気候の中で、自然環境に左右される無風曇天の太陽光発電や風力発電は効果が無く、この場合は、前述の設備機器動力の各発電装置の稼動と共に、発電所給電の中間及び割安夜間電力利用等により、初段発電の発電駆動機を稼動させれば、消費電力以上の発電が可能なシステムとしたものである。
【００１９】  本発明は、自然エネルギー利用発電以外の、これらの液体又は気体の既存設備又は今後の新設設備で発電以外の用途で設置の、上水道、又は工業用水道、圧縮空気、油圧機器、不活性高圧ガス、或は列車や自動車、船舶、航空機等々の輸送機関等々、無意識的に放出廃棄しているあらゆるエネルギーを利用して、単なる一次発電でなく、最も効率の良い増段、増電発電となる様に発明した。
【００２０】  しかし、いかなる有効な自家発電装置と言えども稼働時間制限や欠点も有り、これらの補完効率上昇発電システム確立の為、既存動力設備又は新設設備の中で、各種気体液体の管内流動エネルギーや種々回転機器エネルギーの電機変換等々、各種発電の単独又は混成で出来た総合電力を源を、初段発電とし、その発電電力を利用して消費電力以上の第二段発電を、又、その第二段発電電力を利用して消費電力以上の第三段発電を行い、必要あれば第四段発電、と次第に発電量の増大を図ることによって、一つの小さな初段発電機から必要総電力の発電量まで自給自足を図ることが可能であり、時には、電力会社からの僅かな電力買電で初段発電駆動機を駆動して同様の増大発電も可能となり、最終必要電力の全発電も可能で、２４時間連続電気印加を要する機器への給電も可能で、最終段発電総合電力に見合う蓄電池に蓄電することにより、電力整合制御盤経由で、必要個所への給電が可能となる。
【発明の効果】
【００２１】  本発明は初段発電駆動機の稼動が条件であるが、各種動力エネルギーによって、初段発電駆動機が一端稼動すれば最終段発電電力が発電され、連続発電、必要個所に連続給電が可能であり、半永久的に稼動継続発電が可能で、ノーエネルギーに匹敵する。
【００２２】  山中等の無電源地域等で初期稼動時は、小型エンジン発電機、或は充電済蓄電池等で始動、又、一端発電システム停止の場合には、最終段発電電力を常時、最終段発電蓄電池に充電して、必要な個所に、必要な電力を、いつでも十分に電力供給が可能とし、初段発電駆動機の駆動電力も、最終段発電蓄電池から電力供給することにより、無電源、無設備地域でも、半永久的に稼動継続発電が可能である。
【００２３】  一般家庭のような場合で、万一、初段発電駆動機を駆動する適当な各種動力が皆無の場合には、稼動初期に、一時的に、電力会社からの給電、又は他の自家発電等からの供給電力で初段発電駆動機を駆動すれば、最終段発電電力の最終段発電蓄電池から電力供給することで、半永久的に稼動し継続発電が可能で、省エネルギーに繋がる。
【００２４】  自然エネルギー利用発電により、初段発電駆動機が一端稼動すれば、以後の初段発電駆動機の駆動は、最終段発電電力の最終段発電蓄電池から電力供給することで、半永久的に稼動し継続発電が可能で便利である。
【００２５】  各種動力のエネルギーが小さい場合には、それなりの初段発電駆動機も小さく、必然的に第二段、第三段、第四段、或はそれ以上の段数発電で必要電力の発電を行えば良い。
【００２６】  初段発電駆動機及び初段発電機から、必要電力増電最終段数迄の、各駆動機及び発電機の機器ベアリング交換メンテナンス程度の維持費で格安で有る。
【００２７】  最終段発電蓄電池の寿命は、極端な充放電の過極使用条件を回避して、初段発電駆動機の稼動のみに必要な電気容量で良く、当初格安設備費用と長期耐用年数が得られる。
【００２８】  本発明は、家庭用から、各産業施設、及び工場の必要電力の供給が可能な、自家発電であり、従来常識の発電付随のエネルギー消費が皆無に等しい、ノーエネルギー発電とも言えるもので、地球環境保全に貢献する。
【００２９】  当然ながら、太陽光発電での広大な面積も不要、風力発電での回転翼風圧低周波音、或は自然環境による風速等に左右されること無く、僅かな立体的スペースで、設置条件に苦労することは無い。
【００３０】  設備価格も、電動発電機の積層的感覚で非常に割安となり、一般家庭を含む、全産業界で、全電力供給で、この右に出る物は無い。
【００３１】  増電率の実地試験では、自動車のエンジンスターターモーターで、消費電力５ＫＷ・ｈを使用した場合には、５倍の２５ＫＷ・ｈ発電機の稼動が確認され、極限ではそれ以上が可能でも、安全性から５倍の発電を試み、効果を得た。
【発明の実施する為の最良の形態】
【００３２】  既存機器によって加圧移送される気体及び液体の配管内流体は、配管途中に、必要流量を考慮した上で、単数又複数のタービン回転発電機を装着して発電し、また、既存回転機器利用での直接間接的に駆動する発電、時には自然エネルギー利用発電、これらの単独又は複数の発電によって、初段発電駆動機（１）を稼動する。
【００３３】  既存発電動力が全く利用出来ないか、或は皆無の環境の場合、電力会社供給買電の電気を利用して、初段発電駆動機（１）を稼動する。
【００３４】  既存発電動力が全く利用出来ないか、或は皆無の環境で、尚且、電力会社供給電力も皆無の場合は、稼動方法として、小型エンジン発電機、又は充電済の蓄電池持参によって初段発電駆動機（１）を稼動する。
【００３５】  万一、初期稼動の動力電気機器の全てが不能な場合には、比較的小型で回転トルクガ少ない初段発電駆動機（１）ゆえに、足踏み自転車ペタルタイプの、人的回転発電機、或は直接回転結合することで目的は達成する。
【００３６】  初段発電駆動機（１）が稼動することによって、直結又は間接的稼動で、単数、或は複数の初段発電機（２）が稼動、その初段発電機（２）の初段発電電力（３）の合計電力は初段発電軌道機（１）の消費電力以上の発電で、これを最終段発電とする場合は、その発電電力を直接必要個所に供給するか、又は、最終段発電蓄電池（１１）に充電し、初段発電駆動機（１）を含む、他の必要電力の一部又は全部に電力を供給する。
【００３７】  又、初段発電電力（３）の合計電力で必要電力が不足する発電量の場合は、初段発電電力（３）で第二段発電駆動機（４）を稼動して第二段発電機（５）による第二段発電電力（６）によって、初段発電駆動機（１）又は第二段発電駆動機（４）、及びそれ以外の必要な供給電力を得る発電量とする。
【００３８】  第二段発電電力（６）でも、必要電力に不足する場合は、同様の増段発電を行い、順次電力増大を図るが、最終段発電駆動機（７）による最終段発電機（８）の最終段発電電力（９）は、最終段発電蓄電池（１１）に充電蓄電し、電力整合制御盤（１０）によって電気種、電圧、周波数、等々の電力条件整合した上で、必要個所の各段発電駆動機にも電気印加し、他の必要電力個所に、電力供給し、これを継続する事により、初段発電駆動機（１）の稼動初期のみの僅かなエネルギー消費で、必要電力の一部又は全部に電力供給が可能な、増大発電システムである。
【図面の簡単な説明】
【００３９】
【図１】一例として、既存動力エネルギー利用、又は電力会社供給電力による初段発電駆動機（１）の稼動で複数の初段発電機（２）による初段発電電力（３）により、複数の第二段発電駆動機（４）を稼動して順次発電電力を増大し、最終段発電電力（９）を、最終段発電蓄電池（１１）に充電し、初段発電駆動機（１）及び各段発電駆動機にも必要有れば供給可能とし、電力整合制御盤（１１）経由で、必要電力を供給するイラスト図である。
【符号の説明】
【００４０】１    初段発電駆動機
２    初段発電機
３    初段発電電力
４    第二段発電駆動機
５    第二段発電機
６    第二段発電電力
７    最終段発電駆動機
８    最終段発電機
９    最終段発電電力
１０  電力整合制御盤
１１  最終段発電蓄電池
１２  管内流体エネルギー発電
１３  回転機器エネルギー発電
１４  電力会社供給電力
１５  各種既存自家発電
１６  必要消費電力
１７  遮断弁
【図１】
2010053849.tif 000003